(57)【要約】【課題】  キャップ部に変質しやすい物質（Ａ）、容器本体に物質（Ｂ）を収納して一体化した容器において、構造がシンプルで、しかも高気密性によって収納物の変質を防ぎ、かつ収納物の排出および混合が容易な収納キャップ付容器を提供することにある。【解決手段】  物質（Ａ）３を収納した着脱可能な容器２を内蔵した雌ネジ付キャップ１および物質（Ｂ）を収納した雄ネジ付容器本体１０からなる螺合された密閉容器において、物質（Ａ）３を収納した容器２は、易変形部（薄肉部）４および易破断部（ノッチ部）５を設けたものであって、雌ネジ付キャップ１を回して下方向に変位させていった場合、雄ネジ付容器本体１０の口部の頂部が力点となり、容器２のスカート６に連結する易変形部（薄肉部）４が支点となって、作用点である易破断部（ノッチ部）５が下方向に破断して開口し、物質（Ａ）３が雄ネジ付容器本体１０内に落下して、物質（Ｂ）１１と混合可能となる構造を備えた収納キャップ付容器である。【選択図】  図２
2006027727.tif 000002
【特許請求の範囲】
【請求項１】
物質（Ａ）３を収納した着脱可能な容器２を内蔵した雌ネジ付キャップ１および物質（Ｂ）１１を収納した雄ネジ付容器本体１０からなる螺合された密閉容器において、物質（Ａ）３を収納した容器２は、易変形部（薄肉部）４および易破断部（ノッチ部）５を設けたものであって、雌ネジ付キャップ１を回して下方向に変位させていった場合、雄ネジ付容器本体１０の口部の頂部が力点となり、容器２のスカート６に連結する易変形部（薄肉部）４が支点となって、作用点である易破断部（ノッチ部）５が下方向に破断して開口し、物質（Ａ）３が雄ネジ付容器本体１０内に落下して、物質（Ｂ）１１と混合可能となる構造を備えた収納キャップ付容器。
【請求項２】
雄ネジ付き容器本体１０の口部の頂部と、それに接するスカート６の底部の間、および容器２の頂部とそれに接する雌ネジ付きキャップ１の凹部の間、ならびに、スカート６の端部の上面部にパッキングを設けて高気密性とした請求項１に記載の収納キャップ付容器。
【発明の詳細な説明】
【技術分野】
【０００１】  本発明は、物質（Ａ）を収納した容器を内蔵したキャップおよび物質（Ｂ）を収納した容器本体からなる螺合された密閉容器において、使用時に物質（Ａ）を収納した容器を開口して物質（Ｂ）と混合できる構造を備えた収納キャップ付容器に関するものである。
【背景技術】
【０００２】  従来、緑茶、コーヒー、ジュース、スポーツドリンク、アルコール飲料など数多くの飲料容器として、一般に透明なペットボトルが広く用いられている。この場合、特に緑茶などは変質しやすく、経時的に風味や色合いが損なわれてくる。このため酸化防止手段などの変質防止対策が講じられている。しかしながら、調整直後の味わいそのものを賞味することはできない。
ところで最近、これらの飲料のうち、緑茶が生活習慣病を予防する観点から極めて有効であることが解明されている。このため、緑茶の健康効果が再認識され、注目をあびている。周知のように、緑茶には水溶性成分（例えば、カテキン、ビタミンＣなど）と脂溶性成分（例えば、β−カロテン、ビタミンＥなど）が含まれている。健康面からは、これらの成分をすべて摂取することが望まれる。
しかし、現在市販されている緑茶飲料の多くは、緑茶の茶葉を水で浸出したものである。
したがって、緑茶のもう一つの有効成分である脂溶性成分が含まれていないことは誠に勿体ないことである。
緑茶、特に抹茶などの緑茶微粉末は水、光、酸素によって変質しやすく、経時的に風味や色合いが損なわれてくる。このため、緑茶微粉末と水の混合物を調製時の鮮度を保持させたまま、長期間保存して飲料として供することは困難である。【０００３】  この問題を解決するために、下記のように２種類の物質を個々に収納した飲料容器が提案され、あるいは販売されている。
例えば、最近、ペットボトルの樹脂製のキャップに、キャップと一体化し、下端が開放した内筒を設け、この内筒に緑茶粉末を充填し、その下端を押さえ蓋で封をしたものが販売されている。このボトルは、本体の口部に固定した親キャップが、またその上部の飲み口部に親キャップと一体になった子キャップが取り付けられている。そのボトルの内壁側に、親キャップと一体になった押さえ蓋を外すための筒が、子キャップの内筒の外壁に接するように設けられている。飲用に際して、子キャップを開く方向に回すと、ボトル内壁の筒の下端で蓋の外辺部が押し下げられて、蓋とともに緑茶粉末がボトル内に落下して、飲料水と混合できる仕組みになっている。
しかし、このボトルは、従来の飲み口部に雄ネジを付けたボトルと雌ネジ付キャップからなるボトルとは異なり、そのキャップ部が二重構造になっている。このボトルと同一の構造を備えたものが、特許文献１（特開２００４−１０６８８８）に開示されている。このように、本ボトルは構造が複雑で、しかもそのキャップ部を製造するための樹脂の量が多くなるなどによって、製造コストが高くなるものと思われる。さらに、ボトル内に落下した押さえ蓋が異物のように思われ、飲用時に不安感や不快感を感じる人も少なくないなどの問題がある。
上記のボトルに関連した特許文献２（特開２００４−８３０２２）がある。このボトルのキャップ部は上記の特許文献１と同様に二重構造になっている。ボトル本体部に設けた着脱できるキャップ本体１に収納物を充填するための内筒５が設けられ、その筒の下端に開閉可能な底蓋が設けられている。その内筒５の上部に、内筒５に挿入できる内筒１４を設けたキャップ副体２が、キャップ本体１と一体化して取り付けられている。そのキャップ２を下方向に回していくと内筒２の下端によって蓋が開き、収納物がボトル内に落下する仕組みになっている。本ボトルも前記の特許文献１と同様に構造が複雑であるばかりではなく、内筒１の蓋の構造では気密性に問題がある。
特許文献３（特開２００３−１２０１５）には、（１）キャップの収納部にキャップを回すことによって分断できる楕円形の仕切り板を設けたもの。（２）キャップの収納部に開閉可能な弁機構を備えたもの。（３）キャップの収納部を薄膜にして、これに針状物を突き刺して破断する方法が提案されている。これらのうち、特に（３）の方法は取り扱いに難点がある。
特許文献４（特開２００２−２４９１７５）には、キャップと一体化した内筒収納部の上部に易破断部を設け、その内筒収納部の底部に錘を取り付けたものがある。このキャップを開放方向に回すと、易破断部で破断して錘をつけた収納部もろともボトル本体内に落下する仕組みになっている。この方法では、収納物が収納容器とともにボトル内に入るので、収納物によってはボトル内の収納物との混合性が悪いなどの問題がある。また、破断された収納容器がボトル内にあるので、違和感や不快感がある。このほかに、キャップと一体化した収納部の上部に、ダブルコーンを垂下したダイヤフラムを設け、このダイヤフラムを下に押すと、ダブルコーンによって収納部の底部が破断され、収納物がボトル内に落下する仕組みにした複雑な開口構造をしたものがある。【０００４】
【特許文献１】特開２００４−１０６８８８（図１４〜図１７）
【特許文献２】特開２００４−８３０２２（図１、図２）
【特許文献３】特開２００３−１２０１５（図１〜図５）
【特許文献４】特開２００２−２４９１７５（図１、図２）
【発明の開示】
【発明が解決しようとする課題】
【０００５】  上記のように、ボトルのキャップ部に収納物の変質を防止する容器、およびその収納物の排出方法に関して、各種の方法が提案されている。しかしながら、構造が複雑である、製造コストが高い、気密性が悪い、収納物の排出方法に問題がある、取り扱いに難点がある、不安感や不快感があるなど、いずれかの問題を抱えている。
本発明は、これらの問題を解決し、キャップ部に変質しやすい物質（Ａ）、容器本体に物質（Ｂ）を収納して一体化した容器において、構造がシンプルで、しかも高気密性によって収納物の変質を防ぎ、かつ収納物の排出および混合が容易な収納キャップ付容器を提供することにある。
【課題を解決するための手段】
【０００６】  本発明は、物質（Ａ）３を収納した着脱可能な容器２を内蔵した雌ネジ付キャップ１および物質（Ｂ）１１を収納した雄ネジ付容器本体１０からなる螺合された密閉容器において、物質（Ａ）３を収納した容器２は、易変形部（薄肉部）４および易破断部（ノッチ部）５を設けたものであって、雌ネジ付キャップ１を回して下方向に変位させていった場合、雄ネジ付容器本体１０の口部の頂部が力点となり、容器２のスカート６に連結する易変形部（薄肉部）４が支点となって、作用点である易破断部（ノッチ部）５が下方向に破断して開口し、物質（Ａ）３が雄ネジ付容器本体１０内に落下して、物質（Ｂ）１１と混合可能となる構造を備えた収納キャップ付容器である。
本発明の最も特徴とするところは、容器２の開口方法であり、その開口機構は上記のように「梃子の原理」を利用したものである。
【発明の効果】
【０００７】  本発明の収納キャップ付容器は、構造がシンプルかつユニークである。また、使いやすく、しかも高気密性によって収納物の変質を防止し、かつ収納物の排出および混合が容易な構造を備えたものである。
本収納キャップ付容器には、使用目的に応じて、それぞれの容器に種類の異なる各種の液体、粉体、粒体等を収納して、使用時にこれらを混合することができる。すなわち、少なくとも１成分が変質しやすい物質の収納容器、あるいは物質（Ａ）および物質（Ｂ）を混合すると経時的に変質しやすい物質の収納容器としての利用価値は高い。
【発明を実施するための最良の形態】
【０００８】  本発明の収納キャップ付容器は、上記のような主要構造から構成されたものを基本とするものであるが、実施に際して、さらに他の構造部および容器の構成材料、ならびに収納物や使用方法等について、以下に説明する。
なお、以下に示した図において、その構成部品の寸法、形状、材質、幾何学的配置などは、単に説明するための概念図であって、これによって本発明が限定されるものではない。すなわち、これらの構成物の大きさ、材質、形状、幾何学的配置などは使用目的に応じて、任意に設計することができる。【０００９】  図１に、本発明の収納キャップ付容器の断面図を示す。
物質（Ａ）３を収納した着脱可能な容器２を内蔵した雌ネジ付キャップ１および物質（Ｂ）１１を収納した雄ネジ付容器本体１０からなる螺合し封止された密閉容器である。
キャップ部は、帯取りストッパー８および封止リング９を設けた雌ネジ付きキャップ１に、スカート６、易変形部（薄肉部）４および易破断部（ノッチ部）５を設けた着脱可能な容器２を内蔵したものから構成される。ここで、易破断部（ノッチ部）５は容器２のスカート６の上面および底面の中心から易変形部（薄肉部）４、またはスカート６の端部にかけて十字形にノッチをつけたものである。このノッチのつけ方は、単なる例示であって、これに限定されるものではない。【００１０】  図２は、物質（Ａ）３を収納した容器２の易破断部（ノッチ部）５が開口した状態を示した断面図である。
ここで、物質（Ａ）３を収納した容器２は、雌ネジ付キャップ２を回して下方向に変位させていった場合、雄ネジ付容器本体１０の口部の頂部が力点となり、容器２のスカート６に連結する易変形部（薄肉部）４が支点となって、作用点である易破断部（ノッチ部）５が下方向に変位して破断開口し、物質（Ａ）３が維ネジ付容器本体１０内に落下して物質（Ｂ）１１と混合可能となる機構としたものである。【００１１】  本容器において、高気密性を長期間保持させるために、雄ネジ付き容器本体１０の口部の頂部とそれに接するスカート６の底部の間、および容器２の頂部とそれに接する雌ネジ付きキャップ１の凹部の間にパッキングを挿入することができる。そのパッキング材料としては、例えばシリコーンゴム、ブタジエン系ゴム、イソプレンゴム、ＥＰＤＭゴ厶、ＥＶＡ樹脂、ポリウレタンゴムなどのゴム弾性を有するもの、あるいはこれらの容器よりも柔軟性のある材料から選ばれる。このほか、気密を保持する方法として、雌ネジ付きキャップ１の材料を容器２の材料よりも柔軟性あるものにし、かつ凹部をΩ状の溝にする方法、さらに、容器２の上部外壁とそれに接する雌ネジ付きキャップ１の上部内壁をネジによって螺合させ、締め付ける方法もある。
また、使用に際して、容器本体１０に液体を収納したものを開封したのち、残液がある状態で再度キャップを閉じた場合、液漏れが懸念される。この液漏れを防止するために、スカート６の端部の上面部にパッキングを取り付けることができる。【００１２】  本発明において、容器２に使用される材料として、一般にはプラスチック類、アルミニウムやその合金などの金属材料がある。プラスチックとしては、例えばポリエチレン、ポリプロピレンなどのポリオレフィン類、ＰＥＴやＰＢＴなどのポリエステル類、ポリカーボネート、ポリアミド類、フッ素樹脂、ポリ塩化ビニリデンとその共重合体、ポリスチレン、ハイインパクトポリスチレン、ＡＳ樹脂、ＡＢＳ樹脂、ＭＭＡ樹脂、およびこれらのブレンド物などがある。しかし、これらに限定されるものではなく、使用目的に応じて各種の材料から選定すればよい。
雌ネジ付きキャップ１の材料には、上記のプラスチックやアルミニウムなどの金属が用いられる。
また、雄ネジ付き容器本体１０の材料には、上記のプラスチックやアルミニウムなどの金属のほか、ガラスなどのセラミックスがある。通常の飲料容器には、内容物が観察できる透明なペットボトルの材料であるポリエチレンテレフタレートが用いられる。【００１３】  ここで最も重要なのは、容器２の材料の選定と設計である。その材料は、上記のキャップ２で用いられるものの中から、引張り強度、伸び率、曲げ強度、曲げ弾性率、衝撃強度、硬度などを勘案して選ばれる。これらの機械的特性は、プラスチックであればその組成、分子量、分子量分布、密度、さらには、それらの材料の成型加工条件などによっても変化する。特に、易変形部（薄肉部）４および易破断部（ノッチ部）５の寸法や形状は、容器２の大きさ、用いる材料、幾何学的配置等によって変わるので一義的には決定できない。ここで、スカート６の端部に下から力を加えた場合、易変形部（薄肉部）４は、圧縮応力と引張り応力によって伸縮して変形はするが破断はせず、これに対して、易破断部（ノッチ部）５は、そのときの応力によって容易に破断するような寸法と形状にすることが必要である。
また、それぞれ物質（Ａ）３および物質（Ｂ）１１を収納して一体化した容器において、容器２が使用に際しては容易に開口することができるが、通常の落下など、取り扱い時の衝撃によって破断しないような強度となるように設計することが必要である。
なお、上記の各種の構成部品は、公知の成型加工技術で作製することができる。【００１４】  容器２の収納物の光による変質を防止するため、その容器材料としてプラスチックを用いる場合には、顔料や無機系充填剤微粉末などを配合して光遮断性としたものが使用される。また、容器２の収納物の酸素による変質を防止するため、容器内は窒素などの不活性ガスで置換したのちキャップ１で密封することができる。
なお、容器本体１０も収納物や使用目的によっては、容器２と同様に光や酸素による変質防止措置を講ずることができる。【００１５】  本発明の収納キャップ付容器に収納される物質（Ａ）３および物質（Ｂ）１１は、特に限定はないが、通常は、それぞれ種類の異なる液体、粉体および粒体が収納される。これらには、例えば、液体としては、飲料水、紅茶液、ウーロン茶液、ジュース、コーヒー液、スポーツドリンク、清涼飲料、牛乳、アルコール飲料、食用油、化粧水などが挙げられる。粉体および粒体としては緑茶、コーヒー、ミルク、ビタミンなどの粉末、各種調味料、医薬品、化学薬品など各種のものが挙げられる。【００１６】  次に、それぞれ物質（Ａ）３および（Ｂ）１１を収納して一体化した容器の使用方法について説明する。
先ず雌ネジ付きキャップ１に取り付けた帯取りストッパー８を取り外す。次に、キャップ１を閉める方向に回すと、容器２の易破断部（ノッチ部）５が破断して開口し、収納物（Ａ）３が落下する。ここで、容器本体１０を十分に振って内容物を混ぜ合わせる。このあと、キャップを開ける方向に回してキャップをはずし、内容物を取り出す。
【図面の簡単な説明】
【００１７】
【図１】本発明の収納キャップ付容器の断面図である。
【図２】物質（Ａ）３を収納した容器２の易破断部（ノッチ部）５が開口した状態を示した断面図である。
【符号の説明】
【００１８】  １  雌ネジ付きキャップ
２  容器
３  物質（Ａ）
４  易変形部（薄肉部）
５  易破断部（ノッチ部）
６  スカート
７  螺合部
８  帯取りスットッパー
９  封止リング
１０  容器本体
１１  物質（Ｂ）
【図１】
2006027727.tif 000003
【図２】
2006027727.tif 000004